(57)【要約】【課題】２段収納式のホイップアンテナであって、第２段エレメント部が板状材料をスパイラルに巻いてフレキシブル性に富んでおり、その中に第１段エレメント部に装着した弾性ばねがあり、外力によって前記第２段エレメント部が曲げられた時、その内部に位置していた弾性ばねの形状に変化を来たし、それによって摺動力が減少したり、摺動が困難になって、摺動が出来なくなるなどの課題点があった。【解決手段】板状材をスパイラル状にまいて湾曲できるようにした第２弾エレメント部の内面で摺動する、第１段エレメント部に装着した弾性ばねの強度を増した方式の提案であって、弾性ばねには径大部が複数形成されており、この径大部において内側に突起を設けた弾性ばねを提供する。今、第２段エレメント部が湾曲されても、その中に位置している弾性ばねは、内側に突起部を有しているので、該突起部が第１段エレメント部に当接し、弾性ばねの塑性変形を防ぐため、長期に亘り、摺動の安定性が図られる。【選択図】図１
2009044704.tif 000002
【特許請求の範囲】
【請求項１】
無線機筐体に抜け止め保持されてなる伸縮自在のアンテナエレメントであって、板状部材をスパイラル状に巻回して円筒状の第２段エレメント部を形成し、前記第２段エレメント部の内部には、下端部に弾性ばねを装着した第１段エレメント部が、前記第２段エレメント部の内面を摺動するように配設され、前記弾性ばねはその各々の径大部に内側にむけて内側突起部を形成したことを特徴とする伸縮自在のホイップアンテナ装置。
【請求項２】
前記弾性ばねの内側に向けて設けた内側突起部は、径大部のほぼ最大径部付近に円筒ボッチ状、若しくはＵ字状に形成したことを特徴とする請求項１記載のホイップアンテナ装置。
【請求項３】
前記弾性ばねの内側に向けて設けた内側突起部は、径大部が連続した直径を有し、該径大部の略中央部に内側に向けて円筒ボッチ状、若しくはＵ字状に形成したことを特徴とする請求項１記載のホイップアンテナ装置。
【請求項４】
前記弾性ばねの内側に向けて設けた内側突起部は、径大部の中心部付近から左右に外れた部分に一対の内側に向けて円筒状ボッチ部、若しくはＵ字状に形成したことを特徴とする請求項１記載のホイップアンテナ装置。
【請求項５】
前記弾性ばねの内側に向けて設けた内側突起部は、径大部の略中央を内側に向けて連続した直径部分とし、前記連続した直径部分は径大部の最大径より小径に形成したことを特徴とする請求項１記載のホイップアンテナ装置。
【請求項６】
前記弾性ばねの内側に向けて設け内側突起部は、径大部の略中央から内側に向けて長さ方向に曲率半径を有する円弧状部を形成したことを特徴とする請求項１記載のホイップアンテナ装置。
【請求項７】
前記弾性ばねは、径大部を挟んで両端に円筒状部を有して第１段エレメント部の下端部に抜け止めされて装着されており、前記それぞれの円筒状部には外側に向けた突起が複数形成されており、前記第１段エレメント部を引き伸ばした時に、前記円筒状部に形成した突起が、前記第２段エレメント部の上端部に固着した留め金具の小口部に当接して抜け止めされるようにした、請求項１〜６の何れかに記載のホイップアンテナ装置。
【請求項８】
無線機筐体に抜け止め保持されてなる伸縮自在のアンテナエレメントであって、板状部材をスパイラル状に巻回して円筒状の第２段エレメント部を形成し、前記第２段エレメント部の内部には、下端部に弾性ばねを抜け止め固定した第１段エレメント部が、前記第２段エレメントの内面を摺動するように配設され、前記弾性ばねは複数の板状ブリッジでその径大部が形成されており、該径大部は各板状ブリッジの両方の付け根付近にスリット部を形成し、それによって形成された突起片部と共に横断面が略円筒形に形成されており、前記弾性ばねの両端に形成した円筒状部には外側に向けて複数の突起を形成ししており、第１段アンテナエレメントを引き伸ばした時に、この突起が第２段エレメント部の上端に設けた留め金具の小口部に当接することによって抜け止めされることを特徴とする、伸縮自在のホイップアンテナ装置。
【発明の詳細な説明】
【技術分野】
【０００１】  本発明は、携帯電話機やデジタルテレビ放送が受信できる携帯情報端末等に用いられる伸縮可能なホイップアンテナ装置に関するものである。
【背景技術】
【０００２】  従来の伸縮可能なホイップアンテナ装置は、図８の（ａ）、（ｂ）に示すように弾性ばね３３を取り付けた第１段エレメント部２２が、板状部材をヘリカル状に密巻きした第２段エレメント部の内周面に摺動するように伸縮自在なホイップアンテナ装置が形成されている。
そして無線機筐体に固定したホルダー部（図示せず）の内面を摺動しながら伸張と収納が出来るようになっている。【０００３】  また図８のように、第２段エレメント部は金属の板状部材をヘリカル状に巻回して円筒状に形成しており、第１段エレメント部は弾性に富んだＮｉＴｉ（ニッケルチタン合金）製の線材が使われている。この第１段エレメント部には、ＢｅＣｕ（ベリリウムカッパー合金）や、りん青銅などのバネ性に富んだ板材をプレス加工で通称提灯バネなどと呼ばれる中央が径大部による複数の板状ブリッジで形成されている弾性ばねが抜け止めされて装着されており、前記弾性ばねの径大部が第２段エレメント部の内周面に一定の摩擦力を持って摺動自在に組み込まれている。【０００４】  然しながら、携帯電話機のような携帯無線端末に装着されるアンテナであるから、操作によっては図９のように大きく湾曲するような力が加わることがある。
ところでこの場合、図９（ａ）のように弾性ばね３３が第２段エレメント部の中間付近に位置していた時に、この第２段エレメント部が図９のように湾曲された場合、内部の弾性ばねの径大部は曲率半径の小さい方は圧縮され、大きい方は引き伸ばされる力が働き、それによって塑性変形が起こるため、当初製造した弾性ばねの径大部形状、寸法に変形がおこり、それによって摺動力が極端に軽減されたり、或いは摺動出来なくなるといった事故が起こる恐れがあった。【０００５】  そのための対策技術として、ホイップアンテナが大きく湾曲しても、弾性ばねの径大部の変形が起こりにくくするための改善技術が提案されており、その従来技術として以下に示すものがある。【０００６】  特許文献１に開示された「伸縮式フレキシブルアンテナ」は、当該文献の図５に示してあるように摺動弾性片９の内部に樹脂質の補強チューブ２９を挿入し、ホイップアンテナが湾曲した場合、摺動弾性片を保護しようという技術である。【０００７】
【特許文献１】特開平７−２７３５１９号公報
【発明の開示】
【発明が解決しようとする課題】
【０００８】  しかし、従来例のこの方法では、樹脂質の補強チューブを第１段エレメント部に装着し、その上から弾性ばねを被せるように装着しなくてはならず、部品点数が増えることになるばかりか、製造ラインでの部品の組立て工程が増加することになり、経済的ではない。
また、ベリリウムカッパーなどの板材でプレス加工した弾性ばねを合わせ面で開いて補強チューブを内側に位置するように第１段エレメント部に装着しなければならず、作業性が悪く非経済的であった。【０００９】  本発明は、以上のような技術的課題を解決するためになされたものであり、その目的とするところは、弾性ばねそれ自体に塑性変形を極力防ぐ構造を創作したもので、第２段エレメント部５５が湾曲されても、その湾曲部の中に位置していた弾性ばね３３を曲げに強くして変形を起こしにくくした技術の創作に関する。
よって部品点数を増やすことなく安定した摺動力が得られる伸縮式のホイップアンテナ装置を提供することにある。
【課題を解決するための手段】
【００１０】  かかる目的のもと、本発明が適用されるホイップアンテナ装置は、無線機筐体に抜け止めして保持されてなる伸縮自在のアンテナエレメントであって、板状部材をスパイラル状に巻回して第２段エレメント部を形成し、前記第２段エレメント部の内部には、下端部に弾性ばねを抜け止め固定されて前記第２段エレメント部の内周面に摺動するように弾性ばねを装着した第１段エレメント部が配置されており、前記弾性ばねはその径大部付近に内側に向けて内側突起部を形成してなるものである。【００１１】  ここで、前記弾性ばねの内側に向けて設けた内側突起部は、径大部のほぼ最大径付近に円筒ボッチ状、若しくはＵ字状に形成されていることを特徴とすることが出来る。【００１２】  また、前記弾性ばねの内側に向けて設けた内側突起部は、径大部が連続した直径を有し、この径大部の略中央部付近に内側に向けて円筒ボッチ状、若しくはＵ字状に形成したことを特徴とすることが出来る。【００１３】  また、前記弾性ばねの内側に向けて設けた突起部は、径大部の中心部付近から左右に外れた部分に一対の内側に向けて円筒状ボッチ状、若しくはＵ字状に形成されたことを特徴とすることが出来る。【００１４】  また、前記弾性ばねの内側に向けた内側突起部は、径大部の略中央を内側に向けて連続した直径とし、この連続した直径は径大部の最大径より小径に形成される平面底部を形成したことを特徴とすることが出来る。【００１５】  また、前記弾性ばねの内側に向けて設けた突起部は、径大部の略中央から内側に向けて長さ方向に曲率を有する円弧状部を内側に向けて形成したことを特徴とすることが出来る。【００１６】  また、前記弾性ばねは、径大部の両端に円筒状部を有して第１段エレメント部の下端部に留めリングによって抜け止めされて装着されており、前記それぞれの円筒状部には外側に向けたボッチ状の突起が複数形成されており、前記第１段エレメント部を引き伸ばした時に、前記円筒状部に形成したボッチ状の突起が、前記第２段エレメント部の上端部に固着した留め金具の小口部に当接して前記弾性ばねが前記第２段エレメント部から抜け出ないように形成されてなることを特徴とすることが出来る。【００１７】  また、無線機筐体に抜け止め保持されてなる伸縮自在のアンテナエレメントであって、板状の部材をスパイラル状に巻回して第２段エレメント部を形成し、前記第２段エレメント部の内部には、下端部に弾性ばねを抜け止め固定した第１段エレメント部が前記第２段エレメントの内面を摺動するように配設されている。
前記弾性ばねは、複数の板状ブリッジによる径大部が形成されており、該径大部は各板状ブリッジの両付け根付近をカットしてスリット部を形成し、それによって形成された突起片部と共に前記弾性ばねの径大部は、その断面が略円筒形に形成されている。
これによって、曲げ強度の強い弾性ばねが得られるということを特徴とすることが出来る。【００１８】  そして、前記弾性ばねの両端に形成した円筒状部には、それぞれ外側に向けて複数の突起が形成され、第１段アンテナエレメントを引き伸ばした時に、この突起の一方が第２段エレメント部の上端に設けた留め金具の小口部に当接手することによって抜け止めされることを特徴とすることが出来る。
【発明の効果】
【００１９】  請求項１によれば、板状部材をスパイラル状に巻回し、屈曲可能な円筒状の第２エレメント部の内面に摺動する弾性ばねの径大部に、内側に向けて突起部を形成したので、第２段エレメント部が外力等が加わって湾曲されてその中に弾性ばねが位置していても、弾性ばねの内側に向けて形成した突起部の先端が第１段エレメント部に当接するので、塑性変形を起こしにくく、そのため摺動性の劣化が起こりにくくなる。
また、従来例に較べて部品点数を大きくすること無く、組立作業性も良好である。【００２０】  請求項２によれば、弾性ばねの内側に向けて設けた内側突起部は、径大部のほぼ最大径付近に内側に向けた円筒ボッチ状、若しくはＵ字状の突起であるため、突起が形成しやすく、外力によって湾曲されても、弾性ばねが塑性変形しにくい。【００２１】    請求項３によれば、弾性ばねの径大部が、外形寸法を連続した一定の径の部分を有しているため第２段エレメント部の摺動性が安定している。
また弾性ばねの内側突起部は、その一定の径大部分の略中央から内側に向けて円筒ボッチ状、若しくはＵ字状に形成されているので、湾曲されても変形を来たす恐れが少ないばかりか、外形寸法が連続して一定の径を有しているので、長期の使用においても安定した摺動力が得られる。【００２２】  請求項４によれば、弾性ばねの径大部の最大径付近から外れて左右対称的に一対の内側突起部を設け、該内側突起部は内側に向けた円筒ボッチ状、若しくはＵ字状に形成したので摺動力の低下を防げるばかりか、左右一対の突起部を設けたので第２段エレメント部が強く湾曲された場合でも、一対の突起部が互いに第１段エレメント部に当接するため、より変形に強い弾性ばねとすることが出来るとともに、径大部の中央の最大径付近には内側突起部が設けられていないので、より摺動力が強固に設定できる等の効果が期待できる。【００２３】  請求項５によれば、弾性ばねは径大部の略中央を内側に向けて、一定の長さ分を等しい寸法にした凹部を形成したので、第２段エレメント部が湾曲した場合でも、その中に位置する弾性ばねの凹部が一定の長さをもって第１段エレメント部に当接するため、より安定した曲げ強さを有することが可能であり、摺動性のライフが長く得られるなどの特徴がある。【００２４】  請求項６によれば、弾性ばねの径大部付近を一定の曲率で内側に向けて湾曲させて凹部を形成させたので、第２段エレメント部が湾曲されても、その内部に位置していた弾性ばねの径大部が内側に向けた円弧状であるため、第１段エレメント部に湾曲部が当接しても、円弧状に当接力が分散されるため、塑性変形がしにくく、安定した摺動力が得られる。【００２５】  請求項７によれば、弾性ばねの径大部の左右に、それぞれ第１段エレメント部の周囲を取り巻く円筒状部を設け、この円筒部に外側に向けて複数の突起部を形成したので、第２段エレメント部の上端部に固着した留め金具の小口部に、前記突起部が当接するので弾性ばねが第２エレメント部から抜け出ることが無い。また、左右の円筒状部にそれぞれ突起部を設けたので、当該アンテナを工場で組み立てる際に、弾性ばねを第１段エレメント部の装着方向に制約が無くどちらから挿入しても良いため、留めリングの一点除去による部品点数削減と、組立ての容易さによる加工費用の削減が可能である。【００２６】  請求項７によれば、弾性ばねの径大部の付け根付近を一部カットし、該弾性部材の径大部に板状片部が形成され、この部分を略円筒状に形成したので、この円筒形状の弾性ばねゆえに湾曲した力に強く、変形しにくい弾性ばねが製作可能であり、これによって、第２段エレメント部が湾曲し、湾曲部に弾性ばねが有っても、これによって変形することの少ない強固な弾性ばねであると共に、摺動性が円滑で長期の使用に耐えられる伸縮式のホイップアンテナを提供できる。
【発明を実施するための最良の形態】
【００２７】  以下、添付図面を参照して、本発明の実施の形態について詳細に説明する。
［第１の実施の形態］
図１から図６までは、第１の実施の形態に係るホイップアンテナ装置を説明する図である。
図１の（ａ）、（ｂ）に示すように、樹脂製の無線機筐体１３のホルダー取り付け孔にホルダー１５を差込み、ナット（図示しない）でこれを固定する。前記ホルダー１５の内径部には板ばね１２が設けられており、ホイップアンテナがこの中を摺動して伸縮する。
本案ホイップアンテナは、ＮｉＴｉ合金などを使った弾性線材２ｂとこの外周には樹脂製の第１段エレメント部被覆チューブ２ａで覆って第１段エレメント部２を形成している。【００２８】  前記第１段エレメント部２には、その先端にトップ部１が抜け止めして取り付けられていると共に、反対側の端部には留めリング４が六角カシメ等を施されて強固に固定されていて、弾性ばね３が第１段エレメント部２から抜けないようになっている。
尚、前記弾性ばね３の両端には円筒部３ａ、３ａが形成されており、その内面が前記第１段エレメント部２の弾性線材２ｂを抱くように装着されている。【００２９】  また、前記弾性ばね３の上下端にある円筒部３ａ、３ａには外側に向けた複数の突起３ｃ、３ｃが形成されていて、第１段エレメント部２を引き伸ばした時に第２段エレメント部５の上部に設けた留め金具６の小口部６ａに当接し抜け止めされている。
また、前記各々の円筒部３ａ、３ａのそれぞれに設けた突起３ｃ、３ｃであるため、工場での組立ての際に、第１段エレメント部２に対してどちらから挿入しても良く、組立て作業の能率向上が図られる。
なお、第１段エレメント部２の弾性ばね３が装着される部分については、前記第１段エレメント部被覆チューブ２ａが取り除かれているので、アンテナとしての電気導通性については支障がない。【００３０】  一方、バネ性に富む板状材をスパイラル状に密巻きしてなるスパイラル部５ａは、その外周に第２段エレメント部被覆チューブ５ｂを装着して第２段エレメント部５が形成されている。
前記第２段エレメント部５の内周面には前記第１段エレメント部２が組み込まれており、前記第１段エレメント部２に装着した弾性ばね３によって摺動力が保たれるようになっている。【００３１】  そして、前記第２段エレメント部５の上端部には、小口部６ａを形成した留め金具６が、絞り加工やポンチカシメ、又は接着剤等で固着されており、第１段エレメント部２をトップ部１を摘んで引き伸ばした時に、弾性ばね３の突起３ｃが前記留め金具６の小口部６ａに当接して抜け止めされるようになっている。【００３２】  一方、第２段エレメント部５の下端部には金属製のヒンジ部７がヒンジ板状部７ａとピン孔７ｂを有しており、スリーブ８と支軸９で回動可能に支持されている。
そしてスリーブ８の内部にはロッド１０とコイルばね１１を配設しており、このばね力で前記ロッド１０を前記ヒンジ板状部７ａの端面に押し圧しているので、本案のホイップアンテナの取付け角度をコントロールすることが出来る。
なお、スリーブ８の下端部にはスリーブ８より径大で、ホイップアンテナが引き出出された時の抜け止めになるストッパー１４が取り付けられており、これで伸張時の抜け止めとなっている。【００３３】  このようなアンテナの構成において、前記弾性ばね３には、３つないし４つの板状ブリッジによる径大部３ｂが形成されており、この径大部３ｂが前記第２段エレメント部５の内周面を適当なばね圧を持って摺動出来るようになっている。
また、この径大部３ｂにはそれぞれに内側に向けて内側突起部３ｄが形成されている。
従って、第２段エレメント部２が外力で湾曲されたとき、その湾曲内に前記弾性ばね３が位置していた場合でも、前記径大部３ｂに設けた内側突起部３ｄが前記弾性線材２ｂに当接して一定の変形以上の変形を規制するため、塑性変形による摺動力の低下を起こしにくく、よって長期の使用に耐えられる安定したホイップアンテナの摺動力を確保することが出来る。【００３４】  図２ないし図６は図１に示した弾性ばね３のいろんな実施形態を示す。
基本的に同一符号は同じ説明でありため、重複した説明は省略する場合がある。
材料はＢｅＣｕといわれるベリリウムカッパーや、りん青銅等の板材を使用してこれをプレス加工によりスリットや板状ブリッジを形成し、また円筒状部を左右に形成しここに外側に向けた突起をそれぞれに複数個形成する。
これを全体的に円筒状にして通称提灯ばねといわれる状態に形作る。【００３５】  図２は、図１に示した弾性ばね３の実施例を更に明確に記載したものである。
図２（ａ）は断面図、（ｂ）は平面図を示す。
弾性ばね３の径大部３ｂには内側に向けて内側突起部３ｄがそれぞれの径大部に形成されている。
また図２（ｃ）は他の実施例の断面図で（ｄ）はこれの平面図である。
この場合は板状ブリッジの径大部３ｂに内側突起部３ｄをＵ字状にへこませて形成した。
従って、これらの内側突起部３ｄが弾性線材２ｂ側である内側に向けて設けられているので、第２段エレメント部５が外力で湾曲に曲げられてもその中に位置していて弾性ばね３の内側突起部３ｄが前記弾性線材２ｂに当接して変形を極力少なく抑える等の作用があり摺動力が長期に安定できる。【００３６】  図３は他の実施例で、（ａ）（ｂ）は、径大部３ｂが一定の外形寸法部を有し、その略中央部に内側突起部３ｄを形成している。
また、図３の（ｃ）（ｄ）は、同じく径大部３ｂが一定の外形寸法部を有し、その略中央部にＵ字状の内側突起部３ｄを形成している。
従って、第２段エレメント部５の内面と摺動する弾性ばね３の接触する面積が大きいので、安定した摺動力が得られるばかりか、長期の使用にも安定した摺動性が得られるなどの利点がある。【００３７】  図４も弾性ばね３の他の実施例である。
図４の（ａ）は正面断面図、（ｂ）は平面図である。
これによれば、弾性ばね３の径大部３ｂの中心点付近から左右に同等寸法だけずらした位置に一対の内側突起部３ｄ、３ｄを形成した。
また図４の（ｃ）（ｄ）では、同じく径大部３ｂの中心点付近から左右に同等寸法だけずらした位置に一対のＵ字状の内側突起部３ｄを形成した。
したがって、径大部３ｂの最大外形部は弾性ばねとしての最大摺動力が出るようにしてあり、それぞれ弾性ばねの中央から外れた位置に、一対の内側突起部３ｄ、３ｄが設けられているので、第２段エレメント部が湾曲されてその中にあった弾性ばね３が変形を来たすような場合であっても、内側突起部が左右に２つ形成されているので、より大きく湾曲されても弾性線材２ｂに２つの突起が当接するので弾性ばねに変形を来たす恐れがすくないく、長寿命の摺動性が確保できる。【００３８】  図５も弾性ばね４の一実施例である。
径大部３ｂの略中間付近を、内側に向けた内側突起部３ｍとし、この一定寸法だけ内側に小径として内側突起部３ｂだけ形成されている。
この場合は第２段エレメント部５が湾曲して、その中に位置していた弾性ばね３が変形をきたすような場合があっても弾性線材２ｂとの接触がこれまでの点から線への当接が可能となり、変形が起こりにくくなるため、長期に亘って摺動力が安定して得られる。【００３９】  図６も弾性ばね３の一実施例である。
図６の（ａ）が断面図で（ｂ）が平面図である。
弾性ばね３の径大部３ｂの略中央部を内側に向けた曲率半径Ｒで形成した。
従って、内側に向けた突起部が曲率半径で形成されているので、第２段エレメント部５が湾曲した場合、その内部に位置していた弾性ばね３は前記曲率半径による内側突起であるため、大きな湾曲する力が働いても弾性ばね３は変形しにくい。【００４０】［第２の実施の形態］
図７の（ａ）は第２の実施の形態に係る伸縮自在のホイップアンテナ装置に関する一部断面図とした図であり、（ｂ）は（ａ）図のＸ−Ｘ断面から見た図である。
なお、本実施の形態では、第１の実施の形態と同じ構成部品については同じ符号を用い、その説明を省略することがある。
スパイラル部５ａとその外周部に装着した第２段エレメント部被覆チューブ５ｂとからなる第２段エレメント部５の先端部には、小口部６ａを有する留め金具６が固着されている。【００４１】  一方、第１段エレメント部２にはトップ部１が固定されており、その反対側には第１段エレメント部被覆チューブを除去して弾性線材２ｂをむき出しにして、そこに弾性ばね３を装着し、下端部には留めリング４が六角カシメなどにより固着されて、前記弾性ばね３を抜け止め保持している。
この状態で、前記第２段エレメント部５の内部に挿入されて組み込まれ、弾性ばね３によって、第２段エレメント部５の内周面を摺動する。
図７の（ａ）による弾性ばね３は、径大部３ｂを形成する板状ブリッジ部にその基端部付近にスリット部３ｆ、３ｆを形成する。【００４２】  その結果、前記径大部３ｂには突起片部３ｇが形成され、図７（ｂ）で分かるように弾性ばね３の径大部３ｂが略円筒形に形成される。
これによって、弾性ばね３に湾曲などの強制的な力が加わったとしても、板状ブリッジの径大部３ｂは断面略円筒形であるから、そこに湾曲などの外力が加わっても、その耐えうる力が増すことになり、径大部３ｂが損傷しにくく、且つばね力減少などのトラブルを起こしにくいといった利点がある。【００４３】    一方、弾性ばね３の両端部には円筒状部３ａ、３ａが形成されて、前記第１段エレメント部２の下端部に、前記第１段エレメント部被覆チューブ２ａを除去して弾性線材２ｂ部分を形成し、この部分に前記弾性ばね３の円筒状部３ａをはめ込み電気導通を図る。
そしてその前記弾性線材２ｂの下端部には留めリング４を装着し、六角カシメなどで固着し、前記弾性ばね３の抜け止めをしている。【００４４】    更には、前記弾性ばね３の両端に形成した円筒状部３ａ、３ａには、それぞれに外側に向けた突起３ｃ、３ｃを複数個ずつ形成した。
これによって、第１段エレメント部２を引き伸ばした時に、前記弾性ばね３の円筒状部３ａが第２段エレメント部５の上端部に形成した留め金具６の小口部６ａに当接して抜け止めされる。
なお、前記したそれぞれの円筒状部３ａ、３ａには、複数の突起部３ｃ、３ｃが形成されているので、組立て製造時に、組立て方向を特定する必要が無いため、組立ての作業性が良好である。
【図面の簡単な説明】
【００４５】
【図１】第１の実施の形態に係る伸縮式のホイップアンテナ装置を説明する一部断面図とした図である。
【図２】弾性ばねの一実施例図である。
【図３】弾性ばねの他の一実施例図である。
【図４】弾性ばねの他の一実施例図である。
【図５】弾性ばねの他の一実施例図である。
【図６】弾性ばねの他の一実施例図である。
【図７】第２の実施の形態に係る伸縮式のホイップアンテナ装置を説明する一部断面図とした図である。
【図８】従来の伸縮式のホイップアンテナ装置の断面図
【図９】従来の伸縮式のホイップアンテナに外力を加えて湾曲させた状態の図
【符号の説明】
【００４６】１・・・トップ部
２・・・第１段エレメント部
２ａ・・・第１段エレメント部被覆チューブ
２ｂ・・・弾性線材
３・・・・弾性ばね
３ａ・・・・円筒状部
３ｂ・・・・径大部
３ｃ・・・・突起
３ｄ・・・・内側突起部
３ｅ・・・・あわせ面
３ｆ・・・・スリット部
３ｇ・・・・突起片部
４・・・・・留めリング
５・・・・・第２段エレメント部
５ａ・・・・スパイラル部
５ｂ・・・・第２エレメント部被覆チューブ
６・・・・・留め金具
６ａ・・・・・小口部
７・・・・・ヒンジ部
７ａ・・・・・ヒンジ板状部
７ｂ・・・・・ピン孔
８・・・・・・スリーブ
９・・・・・・支軸
１０・・・・・ロッド
１１・・・・・コイルばね
１２・・・・・板ばね
１３・・・・・無線機筐体
１４・・・・・ストッパー
１５・・・・・ホルダー
【図１】
2009044704.tif 000003
【図２】
2009044704.tif 000004
【図３】
2009044704.tif 000005
【図４】
2009044704.tif 000006
【図５】
2009044704.tif 000007
【図６】
2009044704.tif 000008
【図７】
2009044704.tif 000009
【図８】
2009044704.tif 000010
【図９】
2009044704.tif 000011